(57)【要約】【課題】エンドキャップを器具本体から取り外す作業が容易に行える照明器具を提供する。【解決手段】照明器具１は、器具本体２に取り付けられるエンドキャップ４を備え、エンドキャップ４は、器具本体２の幅方向で対向する一対の取付片４０と、取付片４０間を連結する連結片４１とを備え、取付片４０は下方にいくにつれて内面４０ａ間の距離が大きくなるように形成され、連結片４１にはエンドキャップ４の固定に用いられる係合孔４１ｂが形成され、器具本体２は、取付片４０間に位置する形でエンドキャップ４を支持する支持突片８２ａ，８５ａと、上記一面側に突出するように付勢されエンドキャップ４が器具本体２に対する定位置に位置した際に係合孔４１ｂに嵌り込む係合部６１とを備え、係合部６１の両側面６１ａは、下方にいくにつれて両側面６１ａ間の距離が小さくなるように傾斜している。【選択図】図１
2008243630.tif 000002
【特許請求の範囲】
【請求項１】
ランプが厚み方向の一面側に取り付けられる器具本体と、器具本体の長さ方向に沿った方向の端部が開口した形に形成されるとともにランプを覆う形で器具本体の上記一面側に取り付けられたランプカバーと、器具本体の長さ方向における端部に器具本体とランプカバーとの隙間の少なくとも一部を覆う形で取り付けられるエンドキャップとを備え、
エンドキャップは、器具本体の幅方向に沿った方向で所定間隔を隔てて対向する一対の板状の取付片と、一対の取付片を一体に連結する連結片とを備え、一対の取付片は器具本体から上記厚み方向に離れるにつれて上記所定間隔が広くなるように形成され、連結片における器具本体との対向面にはエンドキャップを器具本体に対する定位置に固定する際に用いられる係合孔が形成され、
器具本体は、一対の取付片間に位置する形で一対の取付片を支持してエンドキャップを上記定位置に支持する支持部と、器具本体の上記一面側に突出するように付勢されエンドキャップが上記定位置に位置した際に上記係合孔に嵌り込む係合部とを備え、係合部は、上記長さ方向に沿った方向における両側面それぞれが、器具本体から上記厚み方向に離れるにつれて上記両側面間の距離が小さくなるように傾斜してなることを特徴とする照明器具。
【請求項２】
ランプは直管形の蛍光灯であって、器具本体は、ランプの軸方向を上記長さ方向に沿わせた形でランプを取り付け可能に構成され、エンドキャップの連結片は、器具本体に取り付けられたランプを上記長さ方向において覆う形に形成されていることを特徴とする請求項１記載の照明器具。
【発明の詳細な説明】
【技術分野】
【０００１】
本発明は、照明器具に関する。
【背景技術】
【０００２】
従来から、照明器具の見栄えを向上させるために、照明器具の器具本体とランプカバーとの隙間や、ランプとソケットとの接続部分を隠すためのエンドキャップを備えた照明器具が提案されている。
【０００３】
例えば、図６（ａ）に示すように、ランプ（例えば、直管形の蛍光灯）Ｌが厚み方向の一面側（図６（ａ）における下面側）に取り付けられる器具本体１１０と、器具本体１１０の長さ方向（図６（ａ）における左右方向）に沿った方向の端部が開口した形に形成されるとともにランプＬを覆う形で器具本体１１０の上記一面側に取り付けられたランプカバー１２０と、器具本体１１０の長さ方向における端部に器具本体１１０とランプカバー１２０との隙間を覆う形で取り付けられるエンドキャップ１３０とを備えた照明器具１００が提案されている（同様のものとしては、特許文献１が挙げられる）。
【０００４】
エンドキャップ１３０は、例えば、弾性を有する樹脂材料からなる樹脂成形品であって、図６（ｂ）に示すように、上記隙間の全体を覆う形に形成された端板部１３１と、端板部１３１の周縁部に一体に突設された周壁部１３２とを備え、端板部１３１の中央部には、エンドキャップ１３０を器具本体１１０に取り付けるために用いられる一対の係止爪１３３が一体に突設されている。
【０００５】
一方、器具本体１１０には、エンドキャップ１３０を取り付けるための取付片１１１が設けられており、取付片１１１には、エンドキャップ１３０の一対の係止爪１３３それぞれを取付片１１１に係止させるための係止孔（図示せず）が形成されている。
【０００６】
したがって、エンドキャップ１３０は、一対の係止爪１３３それぞれを取付片１１１の一対の係止孔それぞれに差し入れることで、器具本体１１０の長さ方向における端部に、上記隙間の全体を覆う形に取り付けられる。
【０００７】
また、図７（ａ），（ｂ）に示すように、複数（図示例では４つ）のランプＬが厚み方向の一面側（図７（ａ）における紙面手前側）に取り付けられる器具本体２１０と、ランプＬの端部それぞれを覆う形で取り付けられるソケットカバーからなるエンドキャップ２２０とを備えた照明器具２００が提案されている。
【０００８】
このエンドキャップ２２０は、例えば、弾性を有する樹脂材料からなる樹脂成形品であって、図８に示すように、ランプＬの軸方向においてランプＬと重なる形に形成された端板部２２１と、端板部２２１の周縁部に一体に突設された周壁部２２２とを備えている。この周壁部２２２は、器具本体２１０と対向する面が開口され、その開口縁部に、エンドキャップ２２０を器具本体２１０に取り付けるために用いられる一対の係止爪２２３が一体に突設されている。
【０００９】
一方、器具本体２１０の厚み方向の一面側には、エンドキャップ２２０の一対の係止爪２２３それぞれを係止するための一対の係止孔（図示せず）が各エンドキャップ２２０それぞれに対応する形で形成されている。したがって、エンドキャップ２２０は、一対の係止爪２２３それぞれを器具本体２１０の一対の係止孔それぞれに差し入れることで、器具本体２１０に、ランプＬの端部を覆う形に取り付けられる。
【特許文献１】特開平５−３３４９０８号公報
【発明の開示】
【発明が解決しようとする課題】
【００１０】
ところで、図６（ａ），（ｂ）に示す照明器具１００において、ランプＬの着脱などを行うために、エンドキャップ１３０を器具本体１１０から取り外す際には、図６（ａ）に示す矢印ｍ１の方向にエンドキャップ１３０を引き抜けばよい。ここで、一対の係止爪１３３それぞれを一対の係止孔それぞれから引き抜くためには、エンドキャップ１３０を保持するだけではなく、エンドキャップ１３０に図６（ｂ）に矢印ｍ２で示す向きの力を加えて、エンドキャップ１３０を弾性変形させて一対の係止爪１３３による係止状態を解除する必要があり、エンドキャップ１３０を器具本体１１０から取り外す作業を容易に行うことができていなかった。
【００１１】
この問題点は、図７，８に示す照明器具２００においても同様である。つまり、照明器具２００において、エンドキャップ２２０を器具本体２１０から取り外す際には、図８に示す矢印ｍ３の方向にエンドキャップ２２０を引き抜くのであるが、そのためには、図６に示す例と同様に、エンドキャップ２２０に図８に矢印ｍ４で示す向きの力を加えてエンドキャップ２２０を弾性変形させて、一対の係止爪２２３による係止状態を解除する必要があり、図６に示す例と同様に、エンドキャップ２２０を器具本体２１０から取り外す作業を容易に行うことができていなかった。
【００１２】
本発明は上述の点に鑑みて為されたもので、その目的は、エンドキャップを器具本体から取り外す作業が容易に行える照明器具を提供することにある。
【課題を解決するための手段】
【００１３】
上記の課題を解決するために、請求項１の発明では、ランプが厚み方向の一面側に取り付けられる器具本体と、器具本体の長さ方向に沿った方向の端部が開口した形に形成されるとともにランプを覆う形で器具本体の上記一面側に取り付けられたランプカバーと、器具本体の長さ方向における端部に器具本体とランプカバーとの隙間の少なくとも一部を覆う形で取り付けられるエンドキャップとを備え、エンドキャップは、器具本体の幅方向に沿った方向で所定間隔を隔てて対向する一対の板状の取付片と、一対の取付片を一体に連結する連結片とを備え、一対の取付片は器具本体から上記厚み方向に離れるにつれて上記所定間隔が広くなるように形成され、連結片における器具本体との対向面にはエンドキャップを器具本体に対する定位置に固定する際に用いられる係合孔が形成され、器具本体は、一対の取付片間に位置する形で一対の取付片を支持してエンドキャップを上記定位置に支持する支持部と、器具本体の上記一面側に突出するように付勢されエンドキャップが上記定位置に位置した際に上記係合孔に嵌り込む係合部とを備え、係合部は、上記長さ方向に沿った方向における両側面それぞれが、器具本体から上記厚み方向に離れるにつれて上記両側面間の距離が小さくなるように傾斜してなることを特徴とする。
【００１４】
請求項１の発明によれば、エンドキャップは、器具本体の幅方向に沿った方向で所定間隔を隔てて対向する一対の取付片間に位置する形で一対の取付片を支持する支持部により器具本体に対する定位置に支持されるとともに、器具本体の厚み方向の一面側に突出するように付勢された係合部が係合孔に嵌り込むことで、上記定位置に固定されるようになっており、係合部は、器具本体の長さ方向に沿った方向における両側面それぞれが器具本体から上記厚み方に離れるにつれて上記両側面間の距離が小さくなるように傾斜しているため、係合部の側面を上記長さ方向に沿った方向に押圧することで、係合部をその付勢方向とは反対側の方向に押圧して係合孔から退出させることができるので、一対の取付片を挟み込むようにしてエンドキャップを保持し、器具本体から上記長さ方向に沿った方向に引き出すことで、エンドキャップを器具本体から取り外すことができ、このとき一対の取付片が器具本体から上記厚み方向に離れるにつれて上記所定間隔が広くなるように形成されているので、一対の取付片を挟み込むようにしてエンドキャップを保持した際に、エンドキャップを器具本体から上記厚み方向に沿った方向に離間させる向きの力がエンドキャップにかかって連結片が器具本体から上記厚み方向に沿った方向に離れようとするから、エンドキャップを器具本体から上記長さ方向に沿った方向に引き出す際に、係合孔から係合部を退出させ易くなり、その結果、エンドキャップを器具本体から取り外す作業が容易に行える。
【００１５】
請求項２の発明では、請求項１の発明において、ランプは直管形の蛍光灯であって、器具本体は、ランプの軸方向を上記長さ方向に沿わせた形でランプを取り付け可能に構成され、エンドキャップの連結片は、器具本体に取り付けられたランプを上記長さ方向において覆う形に形成されていることを特徴とする。
【００１６】
請求項２の発明によれば、ランプから放射された光を器具本体の中央側（中心側）に集めることができるから、発光効率の向上が図れる。
【発明の効果】
【００１７】
本発明は、エンドキャップを器具本体から取り外す作業が容易に行えるという効果を奏する。
【発明を実施するための最良の形態】
【００１８】
本発明の一実施形態の照明器具１は、図１（ａ），（ｂ）および図２に示すように、ランプＬが厚み方向（図１（ａ）における上下方向）の一面側（図１（ａ）における下面側）に取り付けられる器具本体２と、器具本体２の長さ方向（図１（ａ）における左右方向）に沿った方向の両端部それぞれが開口した形に形成されるとともにランプＬを覆う形で器具本体２の厚み方向の一面側に取り付けられたランプカバー３と、器具本体２の長さ方向における両端部それぞれに器具本体２とランプカバー３との隙間（ランプカバー３の両端部の開口）を覆う形で取り付けられるエンドキャップ４とを備えている。なお、図１（ａ）は照明器具１の幅方向に直交する面における部分断面図を示し、図１（ｂ）は照明器具１の長さ方向に直交する面における部分断面図を示している。また、以下の説明では、説明の簡略化のために、図１（ａ）における上方を照明器具１の上方、図１（ａ）における下方を照明器具１の下方とそれぞれ規定する。
【００１９】
ところで、本実施形態の照明器具１は、図２に示すように、天井ＣＢに固定されるフランジ９に吊り下げられるものであり、ここで、フランジ９は、照明器具１に電力を供給する電源部として用いられるものであって、安定器などの点灯装置（図示せず）と、当該点灯装置が収納されたフランジ本体９ａとを備えている。
【００２０】
フランジ本体９ａは、上面側が開口した長尺箱状のフランジボディ９０と、フランジボディ９０の上面開口を閉塞する形でフランジボディ９０に取り付けられるフランジカバー９１とで構成されている。
【００２１】
フランジカバー９１は、フランジボディ９０の上面開口の全面を覆う形の矩形板状に形成されており、その中央部に、天井ＣＢより引き出された商用電源などの電源線Ｃ用の電源線挿通孔９１ａが厚み方向に貫設されている。また、フランジカバー９１の長手方向両端側それぞれには、フランジ９を天井ＣＢに固定するための固定ねじ９２が挿通される固定ねじ挿通孔９１ｂが厚み方向に貫設されている。さらに、フランジカバー９１の長手方向両端側それぞれには、フランジボディ９０をフランジカバー９１に取り付けるための取付ボルト９３が挿通される第１ボルト挿通孔９１ｃが厚み方向に貫設されている。
【００２２】
このようなフランジカバー９１は、電源線挿通孔９１ａに電源線Ｃを挿通させた状態で、両固定ねじ挿通孔９１ｂそれぞれに下方から挿入した固定ねじ９２を天井ＣＢに設けたねじ孔Ｈそれぞれに螺着することによって、天井ＣＢに固定される。
【００２３】
フランジボディ９０の底壁部（下壁部）において第１ボルト挿通孔９１ｃと対向する部位には、フランジカバー９１の第１ボルト挿通孔９１ｃを挿通した取付ボルト９３の先部が挿通される第２ボルト挿通孔９０ａが厚み方向に貫設されており、第２ボルト挿通孔９０ａを挿通した取付ボルト９３の先部に取付ナット９４を被嵌することによって、フランジボディ９０とフランジカバー９１との取り付けが行われる。
【００２４】
ところで、フランジボディ９０内には、上記点灯装置が収納される。この点灯装置は、電源線Ｃを通じて供給される商用電源からの電力を元にして、ランプＬ用の駆動電力を生成するように構成されたものであって、電源線Ｃが接続される入力端子（図示せず）と、給電線９５の一端側のコネクタ９５ａが接続される出力端子（図示せず）とを備える。
【００２５】
フランジボディ９０の底壁部には、一端が点灯装置に接続された給電線９５の他端をフランジ本体９ａ外に引き出すための孔部９０ｂが厚み方向に貫設されている。さらに、フランジボディ９０の底壁部における長手方向両端側それぞれには、フランジ９に照明器具１を吊り下げるためのワイヤなどの吊り下げ手段９６が挿通される吊り下げ孔９０ｃが厚み方向に貫設されている。
【００２６】
以上により構成されたフランジ９により、本実施形態の照明器具１は、天井ＣＢに取り付けられるとともに、ランプＬ用の駆動電力の供給を受けることになる。
【００２７】
器具本体２は、図２に示すように、長尺状に形成された主部５と、主部５の厚み方向（器具本体２の厚み方向に沿った方向）における一面側（図２における下面側）に当該一面側を覆う形に取り付けられランプＬが放射する光を下面側に反射する長尺状の反射板６とを備えている。ここで、主部５および反射板６は例えばアルミニウムや鉄などの金属材料により形成されている。
【００２８】
反射板６は、長さ方向（長手方向）に直交する面における断面形状が、上方に凸となる弧状に形成されるとともに、その下面側の全面に白色の塗料などが塗布されることによって、ランプＬが放射する光を反射するための反射面が形成されている。また、反射板６の幅方向における中央部には、反射板６の下面側において凸部を構成するとともに反射板６の上面側において凹部を構成する膨出部６ａが反射板６の長さ方向に沿った形に形成されている。ここで、膨出部６ａは、膨出部６ａを除く反射板６の部位と、エンドキャップ４（後述するエンドキャップ４の一対の取付片４０）との間に、人の指を差し込むことができる大きさの隙間が形成されるように、その膨出寸法が設定してある。
【００２９】
このような反射板６の膨出部６ａの下面側の長さ方向両端側それぞれには、ランプＬを器具本体に取り付けるランプソケット装置（以下、単に「ソケット」と称する）７が、ランプＬとの対向面７ａを互いに対向させた形で取り付けられる。なお、ソケット７は従来周知のものを採用できるから本実施形態では詳細な説明を省略する。
【００３０】
ところで、主部５に反射板６を取り付けた際には、主部５と反射板６の膨出部６ａとの間の空間部からなる収納スペースが形成される。この収納スペースには、給電線７の他端側のコネクタ（図示せず）と接続される接続部（図示せず）、および当該接続部と両方のソケット７それぞれとを電気的に接続する接続線７０が収納される。また、反射板６の膨出部６ａには、図１（ａ）に示すように、接続線７０を収納スペースから引き出してソケット７に接続するために用いられる引き出し孔６ｂが設けられている。
【００３１】
主部５は、器具本体２の天板部を構成するものであって、上記接続部を露出する開口部（図示せず）が形成されている。また、主部５には、上記の吊り下げ手段９６により照明器具１をフランジ９に吊り下げるための取付部（図示せず）が設けられている。したがって、照明器具１は、給電線９５によりソケット７がフランジ９の点灯装置と接続されるとともに吊り下げ手段９６によりフランジ９に吊り下げられた状態で、使用に供される。
【００３２】
ところで、ソケット７は、図１（ａ）に示すような取付具８によって反射板６に取り付けられている。
【００３３】
ここで、取付具８は、例えば、金属板から曲成されたものであって、器具本体２の長さ方向に沿った方向を法線方向としソケット７が後面（上記対向面７ａとは反対側の面）を当接させた形でねじ止めなどにより固定されるソケット取付片８０と、ソケット取付片８０の上端縁から器具本体２の長さ方向の中央側（図１（ａ）に示す例では、左側）に延設され取付具８の反射板６への取り付けに利用される第１固定片８１とを備え、第１固定片８１には、反射板６の引き出し孔６ｂと連通する給電線挿通孔（図示せず）が厚み方向に貫設されている。また、第１固定片８１には、図１（ａ）に示すように、引き出し孔６ｂ内に挿入されて、引き出し孔６ｂの開口縁部に係止される係止片８１ａが設けられている。
【００３４】
また、取付具８は、器具本体２の長さ方向に沿った方向を法線方向としランプカバー３を器具本体２に取り付けるために用いられるランプカバー取付片８２と、ランプカバー取付片８２の上端縁から器具本体２の長さ方向の端部側（図１（ａ）に示す例では、右側）に延設され取付具８の反射板６への取り付けに利用される第２固定片８３とを備え、第２固定片８３には、取付具８を反射板６に取り付ける取付ねじＳ１用のねじ挿通孔８３ａが厚み方向に貫設されている。なお、反射板６においてねじ挿通孔８３ａに対応する部分には、固定ねじＳ１が螺着されるねじ孔６ｃが形成されている。また、ランプカバー取付片８２には、ランプカバー３の取り付けに用いられる取付ねじＳ２が螺着されるねじ孔（図示せず）が形成されている。
【００３５】
取付具８のソケット取付片８０とランプカバー取付片８２とは、ソケット取付片８０に対してランプカバー取付片８２が器具本体２の長さ方向の端部側に位置するように、下端部同士が橋絡片８４によって一体に連結されている。したがって、取付具８は、第１固定片８１の係止片８１ａを引き出し孔６ｂの開口縁部に係止させるとともに、第２固定片８３のねじ挿通孔８３ａを挿通させた取付ねじＳ１を反射板６のねじ孔６ｃに螺着することによって、反射板６に取り付けられる。
【００３６】
ランプカバー３は、例えば、透光性を有する白色の樹脂材料からなる樹脂成形品であって、図２に示すように、器具本体２の長さ方向に沿った方向を自身の長さ方向とする板状に形成されている。また、ランプカバー３は、長さ方向に直交する面内における断面形状が下方に凸となる弧状に形成されている。つまり、ランプカバー３は、その長さ方向の両端側それぞれが開口した形に形成されている。
【００３７】
ランプカバー３の上面側の長さ方向両端側それぞれには、図１（ａ）に示すように、ランプカバー３を器具本体２に取り付けるための固定具３０が取付ねじＳ３によるねじ止めによって取り付けられている。この固定具３０は、例えば、金属板を用いて、取付ねじＳ３が挿通されるねじ挿通孔３１ａを有する横片部３１と、取付ねじＳ２が挿通されるねじ挿通孔３２ａを有する縦片部３２とを一体に備えるＬ字状に形成されている。
【００３８】
このようなランプカバー３は長さ方向の両端側それぞれが開口しているので、ランプカバー３を器具本体２に取り付けた際には、器具本体２の長さ方向両端側それぞれに生じる器具本体２とランプカバー３との隙間から取付具８が露出する。
【００３９】
そこで、本実施形態の照明器具１には、器具本体２の長さ方向における両端部それぞれには、器具本体２とランプカバー３との隙間を覆う形（つまり取付具８を隠蔽する形）でエンドキャップ４が取り付けられる。
【００４０】
このエンドキャップ４は、例えば、絶縁性を有する樹脂材料からなる合成樹脂成形品であって、図１（ｂ）および図３に示すように、器具本体２の幅方向に沿った方向で所定間隔を隔てて対向する一対の板状の取付片４０と、一対の取付片４０の長さ方向（図１（ａ）における左右方向）一端側の端部同士を一体に連結する連結片４１とを備えたコ字状に形成されている。また、一対の取付片４０は、図１（ｂ）に示すように、下方にいくにつれて（器具本体２から厚み方向に離れるにつれて）、上記所定間隔（すなわち、取付片４０において互いに対向する内面４０ａ間の間隔）が大きくなるように形成されている。さらに、連結片４１の上端縁には、器具本体２の厚み方向において器具本体２と対向する係合片４１ａが器具本体２の長さ方向の中央側に突出する形に一体に設けられており、当該係合片４１ａの上面（つまりは、連結片４１における器具本体２との対向面）にはエンドキャップ４を器具本体２に対する定位置に固定する際に用いられる係合孔４１ｂが厚み方向に貫設されている。また、連結片４１は、図５（ａ），（ｂ）に示すように、器具本体２に取り付けられたランプＬを器具本体２の長さ方向において覆う形の扇状に形成されている。したがって、連結片４１によりランプＬから放射された光を器具本体２の長さ方向の中央側に集めることができるから、発光効率の向上が図れる。
【００４１】
このようなエンドキャップ４は、取付具８により上記定位置に取り付けられる。したがって、取付具８のランプカバー取付片８２には、その幅方向両側（図１（ｂ）における左右両側）それぞれに、エンドキャップ４の支持に用いられる三角形状の第１支持突片８２ａが一体に突設されている。さらに、取付具８の第１取付片８１の先端部（器具本体２の長さ方向の中央側の端部）には、支持片８５が一体に延設され、この支持片８５の幅方向両側それぞれには、エンドキャップ４の支持に用いられる三角形状の第２支持突片８５ａが一体に突設されている。なお、支持片８５の下端部には、ランプＬとの干渉を防止するための半円形状の切り欠き８５ｂが形成されている。
【００４２】
各一対の支持突片８２ａ，８５ａは、図１（ｂ）に示すように、一対の取付片４０の内面４０ａそれぞれに当接する形で一対の取付片４０間に位置することによって、一対の取付片４０を支持して、エンドキャップ４を支持するように構成されている。したがって、本実施形態では、第１支持突片８２ａおよび第２支持突片８５ａによって、エンドキャップ４の一対の取付片４０間に位置する形で一対の取付片４０を支持してエンドキャップ４を上記定位置に支持する支持部が構成されている。
【００４３】
また、反射板６の膨出部６ａには、図１（ｂ）に示すように、上記定位置に位置したエンドキャップ４を器具本体２に対して固定するための弾性部材（ばね部材）６０が設けられている。この弾性部材６０は、例えば、弾性を有する金属板の一部を切り起こしてなる係合部６１を有している。この係合部６１は、図１（ｂ）に示すように、器具本体２の厚み方向に沿った方向の断面形状が、下方に凸のく字状に形成されている。つまり、係合部６１は、上記長さ方向に沿った方向における両側面６１ａそれぞれが、器具本体２から上記厚み方向に離れる（下方にいくに）につれて上記両側面６１ａ間の距離が小さくなるように傾斜してなる。
【００４４】
このような弾性部材６０は、膨出部６ａに設けられた開孔部６ｄより係合部６１を器具本体２の下面側に突出するように付勢した形で、上記収納スペースに収納される。上記開孔部６ｄはエンドキャップ４が上記定位置に位置した際に、膨出部６ａにおいて係合孔４１ｂと連通する位置に形成されている。したがって、エンドキャップ４が上記定位置に位置した際には、係合部６１が上記係合孔４１ｂに嵌り込み、エンドキャップ４が器具本体２に対して固定される。
【００４５】
エンドキャップ４を器具本体２に取り付けるにあたっては、一対の取付片４０を挟み込むようにしてエンドキャップ４を保持し、図４に示すように、一対の取付片４０を器具本体２の長さ方向の端部から器具本体２とランプカバー３との隙間に差し入れて、支持突片８２ａに支持させるように（乗せ掛けるように）すればよい。
【００４６】
この後にエンドキャップ４を器具本体２側（図４に矢印Ｍ３で示す方向）に押し込んでいくと、エンドキャップ４の係合片４１ａが、係合部６１に当接することになるが、器具本体２の長さ方向に沿った方向における係合部６１の両側面６１ａそれぞれは器具本体２から上記厚み方に離れるにつれて上記両側面６１ａ間の距離が小さくなるように傾斜しているため、係合部６１の側面６１ａを係合片４１により上記長さ方向に沿った方向に押圧することで、係合部６１をその付勢方向とは反対側の方向に押圧して開孔部６ｄ内に退出させることができる。そして、さらにエンドキャップ４を器具本体２側に押し込んで、エンドキャップ４が上記定位置に位置した際には、器具本体２の厚み方向において係合孔４１ｂが開孔部６ｄに対向するから、係合片４１ａによる係合部６１の押圧が解除されて、係合部６１が開孔部６ｄより突出し、係合孔４１ｂに嵌り込むことになる。
【００４７】
したがって、エンドキャップ４が上記定位置に位置した状態では、エンドキャップ４は、器具本体２の幅方向に沿った方向で所定間隔を隔てて対向する一対の取付片４０間に位置する形で一対の取付片４０を支持する支持突片８２ａ，８５ａにより器具本体２に対する定位置に支持されるとともに、器具本体２の厚み方向の一面側に突出するように付勢された係合部６１が係合孔４１ｂに嵌り込むことで、上記定位置に固定される。
【００４８】
一方、エンドキャップ４を器具本体２から取り外すにあたっては、一対の取付片４０を挟み込むようにしてエンドキャップ４を保持し、器具本体２から上記長さ方向に沿った方向に引き出す（図１（ａ）に矢印Ｍ２で示す方向に移動させる）。このとき、係合部６１が係合孔４１ｂに嵌り込んでいるため、エンドキャップ４を引き出そうとすると、係合孔４１ｂにおける器具本体２の長さ方向の中央側の内側面（図１（ａ）における左側の内側面）が係合部６１に当接することになるが、係合部６１は、上述したように両側面６１ａそれぞれが器具本体２から上記厚み方に離れるにつれて上記両側面６１ａ間の距離が小さくなるように傾斜しているため、係合部６１の側面６１ａを係合片４１の上記内側面により上記長さ方向に沿った方向に押圧することで、係合部６１をその付勢方向とは反対側の方向に押圧して開孔部６ｄ内に退出させることができる。
【００４９】
したがって、一対の取付片４０を挟み込むようにしてエンドキャップ４を保持し、器具本体２から上記長さ方向に沿った方向に引き出すことで、エンドキャップ４を器具本体２から取り外すことができる。
【００５０】
ここで、一対の取付片４０が器具本体２から上記厚み方向に離れるにつれて上記所定間隔が広くなるように形成されているので、一対の取付片４０を挟み込むようにしてエンドキャップ４を保持した際に、エンドキャップ４を器具本体２から上記厚み方向に沿った方向に離間させる向きの力（図１（ａ）に矢印Ｍ１で示す向きの力）がエンドキャップ４にかかって連結片４１が器具本体２から上記厚み方向に沿った方向に離れようとする（下方向に移動しようとする）から、係合部６１の係合孔４１ｂへの挿入量が小さくなって、エンドキャップ４を器具本体２から上記長さ方向に沿った方向に引き出す際に、係合孔４１ｂから係合部６１を退出させ易くなる。
【００５１】
したがって、本実施形態の照明器具１によれば、図６〜８に示すような従来例とは異なりエンドキャップ１３０，２２０自体を弾性変形させるような力を加える必要がなく、一対の取付片４０を挟み込むようにしてエンドキャップ４を保持し、器具本体２から上記長さ方向に沿った方向に引き出すだけで、エンドキャップ４を器具本体２から取り外すことができるから、エンドキャップ４を器具本体２から取り外す作業が容易に行える。
【００５２】
なお、本発明の照明器具１は、本実施形態に限定されるものではなく、本発明の効果を発揮できる範囲内での変更は可能である。例えば、本実施形態の照明器具１は、ランプＬを点灯させるための電源となる点灯装置を備えておらず、フランジ９とともに使用されるものであるが、当然ながら、点灯装置を備えて、単独で使用できるようにしてもよい。この場合、フランジ９が必要なくなるため、照明器具１は天井ＣＢに直付けされる。また、本実施形態の照明器具１は、ランプＬを１つ取り付け可能に構成されているが、複数のランプＬを取り付け可能に構成されたものであってもよい。
【図面の簡単な説明】
【００５３】
【図１】本発明の一実施形態の照明器具の部分断面図である。
【図２】同上における照明器具の分解斜視図である。
【図３】エンドキャップの斜視図である。
【図４】エンドキャップの着脱方法の説明図である。
【図５】エンドキャップを取り付けた状態を示す外観図である。
【図６】（ａ）は従来の照明器具の要部の側面図、（ｂ）は従来の照明器具のエンドキャップの外観図である。
【図７】従来の他の照明器具を示し、（ａ）は下面図、（ｂ）は側面図である。
【図８】同上における照明器具のエンドキャップの外観図である。
【符号の説明】
【００５４】
１    照明器具
２    器具本体
４    エンドキャップ
４０    取付片
４０ａ  内面
４１    連結片
４１ｂ  係合孔
６１    係合部
６１ａ  側面
８２ａ  第１支持突片（支持部）
８５ａ  第２支持突片（支持部）
【図１】
2008243630.tif 000003
【図２】
2008243630.tif 000004
【図３】
2008243630.tif 000005
【図４】
2008243630.tif 000006
【図５】
2008243630.tif 000007
【図６】
2008243630.tif 000008
【図７】
2008243630.tif 000009
【図８】
2008243630.tif 000010